(57)【要約】    【課題】  水ファントムの作製や撮影を不要として、高精度な投影画像を容易に且つ低コストで収集することができるＸ線ＣＴ装置を提供する。    【解決手段】    水ファントムの投影画像データをシミュレーションによって作成し、これを用いて水補正を行うようにした。即ち、水補正を行うための水データを仮想的に全て水に満たされた水ファントムを想定して計算機シミュレーションによって作成する。そのシミュレーションは、Ｘ線源のＸ線発生むら等によるシェーディング、ビームハードニング、散乱線などの影響も考慮したシミュレーションとした。このようにして得られた水データはノイズを排除した理想的な水データとなる。この理想的なデータにより水補正が行われるため、正確なＣＴ値が得られる。【選択図】        図２
2006334319.tif 000002
【特許請求の範囲】
【請求項１】
Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置において、
前記投影画像の画素値が水のＸ線吸収係数を基準とした値になるように補正する水補正を、水ファントムの投影画像データに基づいて行う水補正手段を備え、
前記水補正手段は、
前記水ファントムの投影画像データをシミュレーションによって作成し、このシミュレーションデータに基づいて前記水補正を行うことを特徴とするＸ線ＣＴ装置。
【請求項２】
前記シミュレーションは、撮影時の出力レベルに近似したレベルで検知信号が出力される前記各Ｘ線検知手段の出力時における画素間のばらつきデータを用いたシミュレーションを含むことを特徴とする請求項１に記載のＸ線ＣＴ装置。
【請求項３】
前記シミュレーションは、シェーディングのシミュレーションを含むことを特徴とする請求項１又は２に記載のＸ線ＣＴ装置。
【請求項４】
前記シミュレーションは、ビームハードニングのシミュレーションを含むことを特徴とする請求項１乃至３のいずれかに記載のＸ線ＣＴ装置。
【請求項５】
前記シミュレーションは、散乱線のシミュレーションを含むことを特徴とする請求項１乃至４に記載のＸ線ＣＴ装置。
【請求項６】
前記シミュレーションは、実験データを用いることを特徴とする請求項１乃至５のいずれかに記載のＸ線ＣＴ装置。
【請求項７】
Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置の前処理方法において、
前記投影画像の画素値が水のＸ線吸収係数を基準とした値になるように補正する水補正を、シミュレーションで作成した水ファントムの投影画像データを用いて行う水補正工程を有することを特徴とするＸ線ＣＴ装置の前処理方法。
【請求項８】
Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置の前処理方法を実行するための、コンピュータで読み取り可能な制御プログラムであって、
前記投影画像の画素値が水のＸ線吸収係数を基準とした値になるように補正する水補正を、シミュレーションで作成した水ファントムの投影画像データを用いて行う水補正ステップを有することを特徴とする制御プログラム。
【請求項９】
Ｘ線発生手段により発生されたＸ線を検知するＸ線検知手段を有するＸ線ＣＴ装置における水補正用データを作成するデータ作成装置であって、
前記Ｘ線発生装置と前記Ｘ線検知手段のそれぞれの座標データを入力するための第１の入力手段と、
前記水補正用データを作成するための水ファントムの座標データを入力するための第２の入力手段と、
前記第１の入力手段と前記第２の入力手段により入力されたそれぞれの座標データを記憶する記憶手段と、
前記記憶手段に記憶されたそれぞれの座標データに基づき、前記水補正用データを演算する演算手段と、
前記演算手段により演算された前記データを格納する格納手段とを有することを特徴とするデータ作成装置。
【請求項１０】
前記第２の入力手段により入力されら座標データは、円柱形を示すデータであり、
前記演算手段は、前記円柱を通過する割合に基づいて、前記データを演算することを特徴とする請求項９に記載のデータ作成装置。
【請求項１１】
Ｘ線発生手段により発生されたＸ線を検知するＸ線検知手段を有するＸ線ＣＴ装置における水補正用データを作成するデータ作成方法であって、
前記Ｘ線発生装置と前記Ｘ線検知手段のそれぞれの座標データを入力するための第１の入力ステップと、
前記水補正用データを作成するための水ファントムの座標データを入力するための第２の入力ステップと、
前記第１の入力手段と前記第２の入力手段により入力されたそれぞれの座標データを記憶手段に記憶する記憶ステップと、
前記記憶手段に記憶されたそれぞれの座標データに基づき、前記水補正用データを演算する演算ステップと、
前記演算ステップにより演算された前記データを格納する格納手段とを有することを特徴とするデータ作成方法。
【発明の詳細な説明】
【技術分野】
【０００１】
本発明は、医療用などに利用されるＸ線ＣＴ装置とその前処理方法、及びＸ線ＣＴ装置に使用されるデータを作成するデータ作成装置とその方法、並びに前記前処理方法を実行するための制御プログラムに関する。
【背景技術】
【０００２】
被写体である患者に対して、Ｘ線源より発生したＸ線を透過して、Ｘ線検出器により検知されたＸ線を投影画像として再構成するＸ線ＣＴ装置は、従来より一般的に知られている。
【０００３】
この種のＸ線ＣＴ装置では、再構成される画像の画素値の校正、及びＸ線検出器間の感度補正を行うために、実際の投影データを用いて前処理（キャリブレーション）が実施され、この前処理で得られた補正データにより、実際に被写体を撮影することによって得られた投影データを補正することが行われている。
【０００４】
図３は、従来のＸ線ＣＴ装置における主な前処理の流れを示すフローチャートである。
【０００５】
まずステップＳ１０１では、オフセット補正を行う。即ち、式＜１＞に示すように、被写体を撮影することによって得られた投影データＤａｔａから、予め取得しておいたオフセットデータｏｆｆｓｅｔ（Ｘ線を発生させずに撮影されたデータ）を差し引いたオフセット補正値Ｄａｔａ'を求める。
【０００６】
【数１】
2006334319.tif 000003
【０００７】
次のステップＳ１０２では、ゲイン補正を行う。即ち、次式＜２＞に示すように、前記Ｄａｔａ'値を、オフセット補正された白データｗｈｉｔｅ（被写体撮影時と同じ撮影条件で被写体を置かずに撮影されたデータ）で割り算して値Ｄａｔａ''を求める。白データｗｈｉｔｅは、予め取得しておいたものである。
【０００８】
【数２】
2006334319.tif 000004
【０００９】
続くステップＳ１０３では、ログ変換を行う。即ち、式＜３＞に示すように、前記Ｄａｔａ''値をログ変換してマイナスをとった値Ｄａｔａ'''を求める。
【００１０】
【数３】
2006334319.tif 000005
【００１１】
そしてステップＳ１０４においては、水補正を行う。即ち、式＜４＞に示すように、前記Ｄａｔａ'''値から、オフセット補正とゲイン補正、ログ変換が施された水データｗａｔｅｒを差し引くことによって水補正を行う。
【００１２】
【数４】
2006334319.tif 000006
【００１３】
ここで、Ｘ線ＣＴ装置において再構成される画像の画素値はＣＴ値（或いはハンスフィールド値）と呼ばれる値として作成される。ＣＴ値は、水のＸ線吸収係数値が０、空気のＸ線吸収係数値が−１０００になるように定義された値であり、このＣＴ値と呼ばれる値に変換するために、前記水補正は行われている。
【００１４】
従来では、この水補正を行うための水データは、撮影領域と同程度の大きさの水が入った水ファントムを撮影することによって取得している。
【００１５】
また、特許文献１においては、サイズの異なる複数の水ファントムを予め撮影して水データを準備しておき、撮像部位によって最適な水データを選択する技術が開示されている。
【特許文献１】特開平９−２４０４３号公報
【発明の開示】
【発明が解決しようとする課題】
【００１６】
しかしながら、水ファントムの撮影のためには、水ファントムを正確に撮影領域に配置する必要がある。そのため、水ファントムの設置は微妙な調節が必要であり、容易な作業ではなかった。特に、Ｘ線ビームをＸ軸及びＹ軸方向だけでなくＺ軸方向（体軸方向）にも広げて照射するコーンビーム型Ｘ線ＣＴ装置を使用する場合では、水ファントムは体軸方向にも長くなって非常に大きなものとなり、容易に配置、撮影することができない。
【００１７】
また、特許文献１の技術のように、撮像部位によって最適な水データを選択しようとすれば、前記の配置、撮影を何度も繰り返さなければならず、さらに、複数の大きな水ファントムを作成しなければならないため、そのコストも非常に大きなものになる。
【００１８】
そして、撮影条件ごとに３６０度の全角度で撮影された水ファントムの投影画像データのデータ量は膨大なものとなり、この膨大なデータを保持するためには、非常に大きな記憶容量が必要となる。
【００１９】
本発明は上記従来の問題点に鑑み、水ファントムの作製や撮影を不要として、高精度な投影画像を容易に且つ低コストで収集することができるＸ線ＣＴ装置とその前処理方法、及びデータ作成装置とその方法、並びに制御プログラムを提供することを目的とする。
【課題を解決するための手段】
【００２０】
本発明は上記目的を達成するため、Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置において、前記投影画像の画素値が水のＸ線吸収係数を基準とした値になるように補正する水補正を、水ファントムの投影画像データに基づいて行う水補正手段を備え、前記水補正手段は、前記水ファントムの投影画像データをシミュレーションによって作成し、このシミュレーションデータに基づいて前記水補正を行うことを特徴とする。
【００２１】
また、本発明は、Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置の前処理方法において、前記投影画像の画素値が水のＸ線吸収係数を基準とした値になるように補正する水補正を、シミュレーションで作成した水ファントムの投影画像データを用いて行う水補正工程を有することを特徴とする。
【００２２】
また、本発明は、Ｘ線を発生するＸ線発生手段と、被写体を透過した前記Ｘ線を検知するＸ線検知手段とを有し、前記各Ｘ線検知手段で検知されたＸ線を投影画像として取得するＸ線ＣＴ装置の前処理方法を実行するための、コンピュータで読み取り可能な制御プログラムであって、前記投影画像の画素値が水のＸ線吸収係数を基準とした値になるように補正する水補正を、シミュレーションで作成した水ファントムの投影画像データを用いて行う水補正ステップを有することを特徴とする。
【００２３】
更に、本発明は、Ｘ線発生手段により発生されたＸ線を検知するＸ線検知手段を有するＸ線ＣＴ装置における水補正用データを作成するデータ作成装置であって、前記Ｘ線発生装置と前記Ｘ線検知手段のそれぞれの座標データを入力するための第１の入力手段と、前記水補正用データを作成するための水ファントムの座標データを入力するための第２の入力手段と、前記第１の入力手段と前記第２の入力手段により入力されたそれぞれの座標データを記憶する記憶手段と、前記記憶手段に記憶されたそれぞれの座標データに基づき、前記水補正用データを演算する演算手段と、前記演算手段により演算された前記データを格納する格納手段とを有することを特徴とする。
【００２４】
また、本発明は、Ｘ線発生手段により発生されたＸ線を検知するＸ線検知手段を有するＸ線ＣＴ装置における水補正用データを作成するデータ作成方法であって、前記Ｘ線発生装置と前記Ｘ線検知手段のそれぞれの座標データを入力するための第１の入力ステップと、前記水補正用データを作成するための水ファントムの座標データを入力するための第２の入力ステップと、前記第１の入力手段と前記第２の入力手段により入力されたそれぞれの座標データを記憶手段に記憶する記憶ステップと、前記記憶手段に記憶されたそれぞれの座標データに基づき、前記水補正用データを演算する演算ステップと、前記演算ステップにより演算された前記データを格納する格納手段とを有することを特徴とする。
【発明の効果】
【００２５】
本発明によれば、水ファントムの作製や撮影が不要になり、高精度な投影画像を容易に収集することが可能になる。
【発明を実施するための最良の形態】
【００２６】
本発明のＸ線ＣＴ装置とその前処理方法、及びデータ作成装置とその方法、並びに制御プログラムの実施の形態について、図面を参照しながら説明する。
【００２７】
＜Ｘ線ＣＴ装置の構成＞
図１は、本発明の実施の形態に係るＸ線ＣＴ装置の全体構成の概略を示すブロック図である。
【００２８】
このＸ線ＣＴ装置は、Ｘ線検出器１、Ｘ線源３、Ｘ線発生装置制御部４、及び画像入力部５を有し、Ｘ線発生装置制御部４により制御されたＸ線源３より発生したＸ線は、被写体である患者２を透過してＸ線検出器１により検知される。検知されたＸ線は投影画像として画像入力部５に入力される。
【００２９】
Ｘ線源３とＸ線検出器１は、患者２を回転中心として回転を行いながら所定の回転角度ごとに投影画像の収集を行う。或いはＸ線源３とＸ線検出器１の位置関係を保持しながら回転テーブルに固定した被写体である患者２を回転させても良い。
【００３０】
さらに、Ｘ線ＣＴ装置は、画像処理部７、画像保存部８、診断モニター９、及び操作部１０を有し、画像入力部５に入力された各回転角度の投影画像は、画像処理部７によって、Ｘ線検出器１の補正、ログ変換を含めた前処理、及び再構成処理等の画像処理がなされ、断層画像群が作成される。作成された断層画像群は、診断モニター９に表示されたり、画像保存部８に保存されたり、ネットワーク１１を介してプリンター１２、診断ワークステーション１３、或いは画像データベース１４に出力されたりする。
【００３１】
表示のウインドウ操作、体軸方向の断層画像の切り換え表示操作、断面変換操作、及び３次元表面表示操作などの種々の操作は、操作部１０によって行われる。そして、システム制御部６は、これら動作全体を制御する。
【００３２】
＜本実施の形態に係る水データの作成処理＞
以上のような構成のＸ線ＣＴ装置において、本実施の形態の前処理は、前述した図３の流れに従って画像処理部７で実行されるが、実行のためにはオフセットデータ、白データ、水データを予め用意しておく。その際、水データは、仮想的に全て水に満たされた水ファントムを想定して、コンピュータによる計算機シミュレーションによって作成する点が本実施の形態の特徴である。
【００３３】
図４は、本実施の形態に係る水データの作成を計算機シミュレーションで求めるためのコンピュータの構成図である。
【００３４】
図４において、１０１はＣＰＵであり、ＲＯＭ１０３に格納されたプログラムを実行することにより本装置全体を制御する。ＣＰＵ１０１と各部は、システムバス１０７により接続されている。１０２はＲＡＭであり、種々のデータやＣＰＵ１０１がプログラムを実行する際のワーク領域として使用される。１０３はＲＯＭであり、本実施例を実現するためのプログラムや本装置の初期設定値等が格納されている。１０４は表示部であり、ＣＰＵ１０１の制御の下で種々の情報を表示する。１０５は入力部であり、キーボード、マウスなどで構成され、シミュレーションを行うための各種設定値、本装置への指示などを行う際にユーザが操作する。１０６は外部記憶装置であり、シミュレーションの結果得られた値を記憶媒体へ記憶する。この外部記憶装置で記憶された値を前述のＸ線ＣＴ装置へ設定する。なお、ネットワークインターフェースを備え、ネットワークを介してＸ線ＣＴ装置へ設定値を送信するようにしてもよい。
【００３５】
本実施の形態において、水ファントムは撮影領域に合わせた円柱形を仮定するが、この幾何学的関係を図２に示す。
【００３６】
図２は、水ファントム投影の幾何学的関係を説明するための説明図である。
【００３７】
まず、ユーザが入力部１０５を操作することにより、Ｘ線検出器の座標値、Ｘ線源の座標値、及び、水ファントムである円柱形の座標値を設定する。この値は、図１に示したＸ線ＣＴ装置の物理的な配置に基づいて設定されたものである。なお、図２においては、円柱形の中心を、座標系の中心としている。
【００３８】
入力部１０５により入力された各座標値は、ＲＡＭ１０２に記憶され、ＣＰＵ１０１により図２に示される仮想的な空間が生成される。
【００３９】
次に、ＣＰＵ１０１により以下の演算が行われる。
【００４０】
即ち、Ｘ線源３からＸ線検出器１の座標Ｐ（Ｐy，Ｐz）の点に至るまでの経路において、円柱形をした水ファントム内を通過する長さｓ２とそれ以外の空気を通過する長さ（ｓ１＋ｓ３）とを求める。
【００４１】
この長さｓ２を求める手順は、（１）始めにＸ線経路（直線ＳＰ）の方程式を求め、（２）次に直線ＳＰと円柱の２つの交点を求め、（３）そして、その２つの交点間の距離を求める、という手順になる。以下、この手順（１）、（２）、（３）を順に説明していく。
【００４２】
（１）Ｘ線経路（直線ＳＰ）の方程式
【００４３】
【数５】
2006334319.tif 000007
【００４４】
であるから、Ｘ線経路（直線ＳＰ）の方程式は、
【００４５】
【数６】
2006334319.tif 000008
【００４６】
となる。
【００４７】
（２）直線ＳＰと円柱の２つの交点の算出
円柱の方程式は、
【００４８】
【数７】
2006334319.tif 000009
【００４９】
であるから、式（ａ）を
【００５０】
【数８】
2006334319.tif 000010
【００５１】
とすれば、
【００５２】
【数９】
2006334319.tif 000011
【００５３】
であるから、
【００５４】
【数１０】
2006334319.tif 000012
【００５５】
よって
【００５６】
【数１１】
2006334319.tif 000013
【００５７】
これより２つの交点は、
【００５８】
【数１２】
2006334319.tif 000014
【００５９】
となる。なお、ｔ１は式（ｃ）の＋、ｔ２は式（ｃ）の−とする。
（３）  ２つの交点間の距離
前記２つの交点間の距離は、
【００６０】
【数１３】
2006334319.tif 000015
【００６１】
によって求めることができる。
【００６２】
以上のようにして点Ｐ（Ｐｙ，Ｐｚ）に投影されるＸ線が水ファントム内を通る長さｓ２が求まった。ここで、点Ｐに投影されるＸ線経路の全長をＬとすれば、Ｌは、
【００６３】
【数１４】
2006334319.tif 000016
【００６４】
であり、空気を通る長さ（ｓ１＋ｓ３）は、
【００６５】
【数１５】
2006334319.tif 000017
【００６６】
となり減弱がない場合のＸ線強度をＩ０、水、空気があった場合のＸ線強度をＩWとすれば、
【００６７】
【数１６】
2006334319.tif 000018
【００６８】
ここで、μA，μWはそれぞれ空気、水のＸ線吸収係数）である。
【００６９】
また、水ファントムを置かないで撮影した場合（白画像）のＸ線強度をＩAとすれば、
【００７０】
【数１７】
2006334319.tif 000019
【００７１】
である。したがって、
【００７２】
【数１８】
2006334319.tif 000020
【００７３】
となる。
【００７４】
シミュレーションによる水ファントムの投影画像データは、式（ｄ），（ｅ）を用いて作成する。このためには、まず投影画像の各画素について画素の位置座標Ｐ（Ｐy，Ｐz）を式（ｄ）に代入することにより、水ファントム内の通過長さｓ２を求める。
【００７５】
そして、このｓ２を式（ｅ）に代入する。ここで、式（ｅ）における
【００７６】
【数１９】
2006334319.tif 000021
【００７７】
は、実際に被写体を置かずに撮影された白画像の平均画素値を用いれば良い。
【００７８】
＜本実施の形態に係る水補正＞
以上のようにして、理想的な水ファントムデータを作成することができるが、水補正には、各Ｘ線検出器１の出力レベルを実際の撮影時の出力レベルと同等にしたときにおける画素間のばらつきを補正するという目的もある。
【００７９】
そこで、例えば平坦なアクリル板を、Ｘ線ＣＴ装置で撮影することで、各Ｘ線検出器１の出力時において実際の撮影時の出力レベルに近い画素間のばらつきデータを得ることができる。このデータを、前述したシミュレーションによる水ファントムの投影画像データに反映させれば、より精度の高いシミュレーションデータを作成することができる。このアクリル板の撮影は、キャリブレーション時に常に行う必要はなく、装置設置時に撮影したデータを使って、白画像との相関関係を用いて作成しても良い。
【００８０】
また、前記シミュレーションによる水ファントムの投影画像データからより精密なシミュレーションデータを作成するために、白画像のシェーディングを距離の２乗則を用いてシミュレーションする方法もある。このシェーディングには、白画像の実データを低次元の関数でフィッティングした値を使えば良い。
【００８１】
このようにして、様々な撮影条件の下でシェーディングの影響まで含めた前記シミュレーションによる水ファントムの投影画像データを作成することができるが、更により精密なシミュレーションを行うには、ビームハードニング（ｂｅａｍ  ｈａｒｄｅｎｉｎｇ）や散乱線の影響を考慮してシミュレーションを行えば良い。
【００８２】
ビームハードニングのシミュレーションは、実験により水の厚さによる各Ｘ線検出器１の出力値の関数を求めてシミュレーションすれば良い。散乱のシミュレーションは、水内部を通過する際の散乱をモンテカルロ法などによりシミュレーションする。或いは物理密度の低い空気から物理密度のより高い水につき当たる部分における散乱を同じくモンテカルロ法などによってシミュレーションする。また、モンテカルロ法を用いずに実験データを用いたシミュレーションを行っても良い。
【００８３】
この他にも様々な物理現象を理論から導き出した数式や実験データを用いてシミュレーションを行えば、実際に撮影した場合と遜色のない投影画像データを作成することができる。
【００８４】
このように、実際に撮影したデータ（シェーディングなど）や、実験により求めたデータ（散乱、ビームハードニングなど）を用いてシミュレーションを行って水ファントムの投影画像データ（水データ）を作成し、この水データを用いて水補正を行うことにより、アーチファクト（ａｒｔｉｆａｃｔ）の少ない再構成画像を得ることができる。
【００８５】
＜本実施の形態の利点＞
本実施の形態では、水ファントムの投影画像データをシミュレーションによって作成し、これを用いて水補正を行うようにした。即ち、水補正を行うための水データを仮想的に全て水に満たされた水ファントムを想定して計算機シミュレーションによって作成する。そのシミュレーションは、Ｘ線源のＸ線発生むら等によるシェーディング、ビームハードニング、散乱線などの影響も考慮したシミュレーションとした。
【００８６】
このようにして得られた水データはノイズを排除した理想的な水データとなる。この理想的なデータにより水補正が行われるため、正確なＣＴ値が得られ、アーチファクトも抑制することができ、高精度の診断を行うことが可能である。また、水ファントムの作製や撮影の必要がなくなるので、コストを抑えることができるだけでなく無駄な撮影の手間も省くことができる。さらに、全角度同じデータとなるため１角度分のデータのみを作成すればよく、記憶容量が小さくて済むので、一層コストを抑えることができる。
【００８７】
なお、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００８８】
この場合、記憶媒体から読み出されたプログラムコード自体が前述した実施の形態の機能を実現することになり、そのプログラムコード及び該プログラムコードを記憶した記憶媒体は本発明を構成することになる。
【００８９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしても良い。
【００９０】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００９１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００９２】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００９３】
【図１】実施の形態に係るＸ線ＣＴ装置の全体構成の概略を示すブロック図である。
【図２】水ファントム投影の幾何学的関係を説明するための説明図である。
【図３】従来のＸ線ＣＴ装置における主な前処理の流れを示すフローチャートである。
【図４】実施の形態に係る水データの作成を計算機シミュレーションで求めるためのコンピュータの構成図である。
【符号の説明】
【００９４】
１  Ｘ線検出器
３  Ｘ線源
４  Ｘ線発生装置制御部
６  システム制御部
７  画像処理部
８  画像保存部
９  診断モニター
【図１】
2006334319.tif 000022
【図２】
2006334319.tif 000023
【図３】
2006334319.tif 000024
【図４】
2006334319.tif 000025